(57)【要約】【課題】  電子写真方式の画像形成装置において、導光板の取り付けや部品ばらつき、ＬＥＤの発散光のばらつき等があっても、感光体に照射する照射光の光量分布をより均一にすることが可能な光除電装置を提供する。【解決手段】  本発明の光除電装置は、電子写真方式の画像形成装置において感光体の電荷を除電するのに用いられる光除電装置であって、感光体に対向して配置される導光体と、その導光体の光入射面に光を照射する光源とを有し、導光体及び/または光源の位置調整が可能であることを特徴とする。【選択図】  図６
2015141376.tif 000002
【特許請求の範囲】
【請求項１】
電子写真方式の画像形成装置において感光体の電荷を除電するのに用いられる光除電装置であって、
前記感光体に対向して配置される導光体と、その導光体の光入射面に光を照射する光源とを有し、
前記導光体及び/または前記光源の位置調整が可能である光除電装置。
【請求項２】
前記光除電装置は、前記導光体及び/または前記光源の位置調整を可能とする位置調整機構を備える請求項１記載の光除電装置。
【請求項３】
前記位置調整は、前記導光体に対する前記光源の位置を少なくとも前後方向、左右方向及び上下方向のいずれかに移動させることにより行う請求項１または請求項２記載の光除電装置。
【請求項４】
前記位置調整は、前記導光体に対する前記光源の向きを少なくとも左右方向または、上下方向に向けることにより行う請求項１または請求項２記載の光除電装置。
【請求項５】
前記位置調整は、前記光源に対する前記導光体の位置を少なくとも前後方向、左右方向及び上下方向のいずれかに移動させる請求項１〜請求項４のいずれかに記載の光除電装置。
【請求項６】
前記導光体と前記光源がユニットに組み込まれている除電ユニットを備えた請求項１〜請求項５のいずれかに記載の光除電装置。
【請求項７】
請求項１〜請求項６のいずれかに記載の光除電装置を備えた画像形成装置。
【発明の詳細な説明】
【技術分野】
【０００１】
本発明は、電子写真方式の画像形成プロセスにおいて、光照射によって感光体の残留電荷を除去する光除電装置、及び、それを備えた複写機等の画像形成装置に関する。
【背景技術】
【０００２】
電子写真方式の画像形成装置は、帯電・露光・現像・転写・定着の各プロセスにより画像を形成する装置であり、例えば複写機の場合には、上記各プロセスは以下のように行われる。
【０００３】
まず、帯電器チャージャにより均一な電荷を与えた感光体（感光体ドラム）の表面に、光学系を介して原画像の反射光を露光することにより静電潜像を作成し、この静電潜像にトナー（現像剤）を静電付着させて現像し、感光体上にトナー像を形成する。次に、転写体にトナー像と逆極性の静電気を印加してトナー像を記録紙上に転写し、転写されたトナーを加熱・加圧により定着して、記録紙上に原画像に応じた画像を固定化する。
【０００４】
以上のように構成された複写機の基本構成に対して、画像品質の向上及び複写画像形成の効率化を目的とする多くの機能要素が付加されている。例えば、光照射によって感光体上の電荷を除電する光除電装置がこれに該当する。光除電装置としては、現像処理の前に感光体上の非画像領域の不良潜像をイレースするイレーサ、転写処理前の感光体上の電位を光学的に低下させる転写前除電ランプ（ＰＴＬ）、クリーニング処理後において感光体上の残留電荷を除去する除電ランプ（ＱＬ）等が挙げられる。
【０００５】
このような光除電装置の照明用光源としては、蛍光管などの放電管が使用されている。また、図１０に示すように、基板５０１上にＬＥＤチップ５０２を多数配列したＬＥＤアレイ５００が用いられている。特に、近年では、より小型で低価格な製品が要求されているため、このようなＬＥＤアレイ５００を利用したものが多くなっている。
【０００６】
ＬＥＤアレイ５００は、図１１に示すように、ＬＥＤチップ（ＬＥＤランプ）５０２を密に配列することにより、被照明面である感光体ドラム１の表面に対して、実質的に均一化した高い照度を得ることができる。
【０００７】
しかしながら、この構成では、ＬＥＤチップ５０２の使用個数が多いため、コスト的には十分な低価格化を達成することが困難である。また、低コスト化を達成するために、ＬＥＤチップ５０２の使用個数を少なくした場合、ＬＥＤチップ５０２同士の間隔が大きくなり、感光体ドラム１の照度分布にむらが生じて均一な照度を得ることができない。
【０００８】
このような問題を解消する技術として、透光性材料からなる柱状の部材で、長手方向に沿う側面部に設けた光照射面と、この光照射面と対向する面に設けた切削加工や粗面加工による光拡散部とを有する導光体を備え、この導光体の端部に光源を設けた照明装置が開示されている（例えば、特許文献１参照）。
【０００９】
また、画像形成装置本体に対して着脱自在に設けられた点光源と、点光源からの入射光を感光体に導く光路を構成する導光体とを備える光除電器が開示されている（例えば、特許文献２参照）。
【先行技術文献】
【特許文献】
【００１０】
【特許文献１】特開平０８−０４３６３３号公報
【特許文献２】特開２００２−２７８３９５号公報
【発明の概要】
【発明が解決しようとする課題】
【００１１】
しかしながら、上記した各特許文献に記載の構成によれば、導光体から感光体ドラムに光が照射される領域のうち、光源に近い領域では照射光量が多く、光源から遠く離れた領域では照射光量が少ないといった、光量分布にバラツキがある光除電装置となってしまう場合がある。これは、光除電装置を製造する場合において、導光板と光源の位置関係は設計値に基づいて一律に決定され、装置が組み立てられているため、光源として用いられているＬＥＤの個体差、本体部品のバラツキに対応していないためである。
【００１２】
このように感光体ドラムの長手方向において照射光量の分布にばらつきがあると、画像むら等が生じて良好な画像を得ることができない。特に、光源から最も離れた導光体の終端部近傍では、照射光量の低下の度合いが大きく、この点の改善が要求されている。
【００１３】
本発明はそのような実情に鑑みてなされたものであり、電子写真方式の画像形成装置において、導光板の取り付けや部品ばらつき、ＬＥＤの発散光のばらつき等があっても、感光体に照射する照射光の光量分布をより均一にすることが可能な光除電装置を提供すること、及び、そのような特徴を有する光除電装置を備えた画像形成装置を提供することを目的とする。
【課題を解決するための手段】
【００１４】
上記の課題を解決するために、本発明に係る光除電装置は、電子写真方式の画像形成装置において感光体の電荷を除電するのに用いられる光除電装置であって、前記感光体に対向して配置される導光体と、その導光体の光入射面に光を照射する光源とを有し、前記導光体及び/または前記光源の位置調整が可能である。
【００１５】
また、前記光除電装置は、前記導光体及び/または前記光源の位置調整を可能とする位置調整機構を備えていてもよい。
【００１６】
また、前記位置調整は、前記導光体に対する前記光源の位置を少なくとも前後方向、左右方向及び上下方向のいずれかに移動させることにより行う構成としてもよい。
【００１７】
前記位置調整は、前記導光体に対する前記光源の向きを少なくとも左右方向または、上下方向に向けることにより行う構成としてもよい。
【００１８】
前記位置調整は、前記光源に対する前記導光体の位置を少なくとも前後方向、左右方向及び上下方向のいずれかに移動させる構成としてもよい。
【００１９】
前記導光体と前記光源がユニットに組み込まれている除電ユニットを備えた構成としてもよい。
【００２０】
本発明に係る画像形成装置は、上記のいずれかに記載の光除電装置を備えている。
【発明の効果】
【００２１】
本発明の光除電装置によれば、導光板の取り付けや部品ばらつき、ＬＥＤの発散光のばらつき等があっても、感光体に照射する照射光の光量分布をより均一にすることが可能な光除電装置を実現すること、及び、そのような特徴を有する光除電装置を備えた画像形成装置を実現することが可能となる。
【図面の簡単な説明】
【００２２】
【図１】本発明の画像形成装置の実施形態の構成を示す図である。
【図２】図１の画像形成装置に用いる画像形成ユニットの構成を示す図である。
【図３】本発明の光除電装置の実施形態の要部構造を示す斜視図である。
【図４】図３の光除電装置の側面図（Ａ）及び平面図（Ｂ）を併記して示す図である。
【図５】図３の光除電装置を画像形成装置に装着した状態を示す図である。
【図６】実施例１に係るＬＥＤランプ１１の配置調整方法について説明する側面模式図である。
【図７】実施例２に係るＬＥＤランプ１１の配置調整方法について説明する側面模式図である。
【図８】実施例３に係るＬＥＤランプ１１の配置調整方法について説明する平面模式図である。
【図９】実施例４に係る除電ユニット３００の概略図である。
【図１０】従来の光除電装置に使用されるＬＥＤアレイの構成を示す斜視図である。
【図１１】従来の光除電装置の構成を示す側面図である。
【発明を実施するための形態】
【００２３】
以下、本発明の実施形態について図を用いて説明する。以下の説明では同一の部材には同一の符号を付してある。なお、以下の実施形態は、本発明を具体化した一例であって、本発明の技術的範囲を限定するものではない。
【００２４】
図１は、本発明に係る画像形成装置１００の構成を示す内部構成図である。この画像形成装置１００は、ファクシミリ動作、コピー動作及びプリンタ動作が可能なデジタル複合機であって、画像読取部１０１、画像形成部１０２、給紙部１０３、及び、後処理装置１０４を備えている。
【００２５】
画像読取部１０１は、画像形成装置１００の画像入力装置として、原稿等の画像を読み取るために設けられるものであり、透明ガラスからなる原稿載置台１０５に加えて、両面自動原稿送り装置（以下、ＲＡＤＦという）１０６、及び、光学系ユニット１１０を備えている。
【００２６】
画像読取部１０１は、原稿載置台１０５上に載置された原稿から１枚ごとに当該原稿の画像を順次読み取る。ＲＡＤＦ１０６は、所定の原稿トレイにセットされた原稿を１枚ずつ原稿載置台１０５に搬送するとともに、光学系ユニット１１０による画像の読取が行われた後に所定の取り出し位置まで搬出する。
【００２７】
光学系ユニット１１０は、原稿載置台１０５に搬送される原稿の画像を、走査線方向に所定の単位毎に読み取る原稿画像読取ユニットとして構成される。光学系ユニット１１０は、第１のミラーベース１１１、第２のミラーベース１１２、光学レンズ１１７、及び、光電変換素子（以下、ＣＣＤという。）１１８を備えている。
【００２８】
第１のミラーベース１１１は、光を照射するためのランプリフレクタアセンブリ１１３と原稿からの反射光を後述する第２のミラーベース１１２に導く第１の反射ミラー１１４とを備えており、原稿載置台１０５に沿って同図中において左から右へと一定速度Ｖで移動しながら原稿に光を照射する。
【００２９】
第２のミラーベース１１２は、第１のミラーベース１１１からの光を、光学レンズ１１７及びＣＣＤ１１８の方向へ導く第２の反射ミラー１１５及び第３の反射ミラー１１６を備えており、第１のミラーベース１１１の動作に追随してＶ／２の速度で移動する。
【００３０】
光学レンズ１１７は、第２のミラーベース１１２からの反射光をＣＣＤ１１８上に結像させる。ＣＣＤ１１８は、光学レンズ１１７によって結像された光を、電気信号に変換する。このＣＣＤ１１８によって得られるアナログの電気信号は、デジタル信号の画像データに変換され、各種の画像処理が施された後、適宜バッファメモリなどを介して画像形成部１０２に転送される。
【００３１】
画像形成部１０２は、画像形成ユニット１２０と露光ユニット１２１とを備えている。露光ユニット１２１は、バッファメモリから読み出した画像データ、または外部の装置から転送される画像データに応じて感光体ドラム１を露光するものである。露光ユニット１２１は、図示はしないが、レーザ光を照射する半導体レーザ光源、レーザ光を等角速度で偏光するポリゴンミラー、及び、ポリゴンミラーからの光をさらに偏光し、感光体ドラム１上において等速運動させるｆ−θレンズなどを備えている。
【００３２】
図２は、画像形成ユニット１２０の概略図である。図２に示すように、画像形成ユニット１２０は、静電潜像を担持する感光体ドラム１を備えている。この感光体ドラム１の周辺には、感光体ドラム１の表面を所定の電位に帯電する帯電装置２、露光ユニット１２１により感光体ドラム１表面に形成される静電潜像にトナーを供給して顕像化する現像装置３、感光体ドラム１表面のトナー像を用紙に転写する転写装置４、感光体ドラム１の表面を清掃するクリーニング装置５、及び、感光体ドラム１の残留電荷を除電する光除電装置１０がこの順番で配置されており、感光体ドラム１の表面において帯電・露光・現像・転写・清掃・除電の各工程が行われる。なお、画像形成ユニット１２０において所定の画像形成処理が行われた用紙は、画像形成ユニット１２０の下流に設けられた定着装置１０７によって転写トナー像（画像）が加熱定着され、排紙ローラ１３７から排紙される。
【００３３】
画像形成ユニット１２０及び定着装置１０７の下流側には、用紙の両面に画像を形成するために用紙を反転させるスイッチバック搬送路１３６、昇降トレイ１４１を備えているとともに、画像が定着された用紙に対してステープル処理等を施す後処理装置１０４が配置されている。
【００３４】
給紙部１０３は、画像形成ユニット１２０の下方に配置されており、手差しトレイ１３４と、両面ユニット１３５と、用紙カセット１３１，１３２，１３３からなる多段給紙部と、これらの用紙の収容部（１３１〜１３４）から用紙を画像形成ユニット１２０へと搬送する搬送手段を備えている。なお、両面ユニット１３５は、スイッチバック搬送路１３６に通じており、用紙の両面に画像形成を行う時に用いられる。
【００３５】
次に、光除電装置１０について説明する。光除電装置１０は、図３〜図５に示すように、点光源であるＬＥＤランプ１１と導光体（透光性材料製）１２とを備えている。
【００３６】
導光体１２は、図５（Ａ）及び（Ｂ）に示すように、プロセスカートリッジ２０に搭載される。プロセスカートリッジ２０は、画像形成装置１００の装置本体の前面フレーム２１及び背面フレーム２２に取り付けられたカートリッジ案内部材２３上を摺動することにより着脱自在となっている。ここで、この例の光除電装置１０に用いる導光体１２は、全表面が平滑な面である。導光体１２は、アクリル樹脂、ポリカーボネート樹脂、ポリスチレン樹脂、塩化ビニル樹脂またはガラスなどの透明材料をインジェクション成形法や押し出し法で成形される。
【００３７】
図３に示すように、導光体１２は、感光体ドラム１と平行な方向に延びる帯状の部材で、感光体ドラム１と対向する面が光出射面１２ｂとなっている。導光体１２の長手方向の一端面（先端面）が光入射面１２ａとなっており、この光入射面１２ａにＬＥＤランプ１１が対向している。
【００３８】
図４（Ａ）に示すように、導光体１２は、ＬＥＤランプ１１からの光の導光路となる導光路部Ｘ１と、除電領域を構成する反射部Ｘ２とが形成されている。
【００３９】
反射部Ｘ２は、光出射面１２ｂに対して裏面１２ｄが傾斜する形状に加工されており、導光体１２の後端面１２ｅに向うに従って裏面１２ｄが光出射面１２ｂに近づく形状となっている。
【００４０】
図５に示すように、ＬＥＤランプ１１は、感光体ドラム１の非画像形成領域となるプロセスカートリッジ２０の矢印Ｍで示される装着方向の前端側の端部２０ａに対向して配置される。この例の光除電装置１０に用いるＬＥＤランプ１１は、例えばＬＥＤチップを金属製のリード上にボンディングし、その部分を透明な樹脂でレンズ状に封止することにより作製され、上記導光体１２の光入射面１２ａに近接配置される。ＬＥＤランプ１１としては、例えば、波長が６１８ｎｍ、実験抵抗値２００Ωである超高輝度ＬＥＤランプ（シャープ社、製品番；ＧＬ５ＺＪ４３）を挙げることができる。
【００４１】
＜実施例１＞
図６は、本実施例に係るＬＥＤランプ１１の配置調整方法について説明する側面模式図である。ここでは、説明をわかりやすくするため、ＬＥＤランプ１１からの光は平行光として矢印線で示している。
【００４２】
例えば、図６（Ａ）に示すように、ＬＥＤランプ１１が設置当初、光入射面１２ａに対し、やや上部寄りにある場合、光入射面１２ａより入射する光は、光入射面１２ａの上部に集中するため、裏面１２ｄで反射される光は、ＬＥＤランプ１１寄りの部分の光量が増加する。この場合は、感光体ドラム１の軸方向において、ＬＥＤランプ１１寄りの部分が強く照射され、ＬＥＤランプ１１から遠い部分は十分な光が照射されず、感光体ドラム１全域に亘って均一に光を照射することができない。この結果として画像むらが生じることとなる。
【００４３】
ここで、図６（Ａ）の矢印Ｐに示すように、ＬＥＤランプ１１本体を光入射面１２ａに対して平行に下方向に移動させ、図６（Ｂ）に示すように、光入射面１２ａの上下方向のほぼ中央部分に設置する。このようにＬＥＤランプ１１を移動することで感光体に照射する照射光の光量分布を調整し、光が遠くまで届くようにするため、裏面１２ｄ全体で反射され、感光体ドラム１全体に亘って均一に光を照射することができ、画像むらが生じにくくなる。
【００４４】
一方、図６（Ｃ）に示すように、ＬＥＤランプ１１が設置当初、光入射面１２ａに対し、やや下部寄りにある場合、光入射面１２ａより入射する光は、光入射面１２ａの下部に集中するため、裏面１２ｄで反射される光は、ＬＥＤランプ１１から遠い部分の光量が増加する。この場合は、感光体ドラム１の軸方向において、ＬＥＤランプ１１から遠い部分が強く照射され、ＬＥＤランプ１１寄りの部分は十分な光が照射されず、感光体ドラム１全域に亘って均一に光を照射することができない。この結果として画像むらが生じることとなる。
【００４５】
ここで、図６（Ｃ）の矢印Ｐ´に示すように、ＬＥＤランプ１１本体を光入射面１２ａに対して平行に上方向に移動させ、図６（Ｂ）に示すように、光入射面１２ａの上下方向のほぼ中央部分に設置する。これにより、導光板１２の取り付けや部品ばらつき、ＬＥＤの発散光のばらつき等があっても、上記のようにＬＥＤランプ１１を適切に移動し、調整することで適切な光量分布になるように調整を行うことが可能となり、感光体ドラム１全体に亘って均一に光を照射することができ、画像むら等のない良質な画像を得ることができる。
【００４６】
なお、本実施例では、ＬＥＤランプを上下させる方法を例として説明したが、ＬＥＤランプ１１を固定し、導光板１２を上下させ、光分布を調整する方法でも構わない。
【００４７】
＜実施例２＞
次に、実施例２について説明する。図７は、本実施例に係るＬＥＤランプ１１の配置調整方法について説明する側面模式図である。ここでは、説明をわかりやすくするため、ＬＥＤランプ１１からの光は平行光として矢印線で示している。
【００４８】
例えば、図７（Ａ）に示すように、ＬＥＤランプ１１の向きが設置当初、光入射面１２ａに対し、やや上向きである場合、光入射面１２ａより入射する光は、光入射面１２ａに斜め下から上に向けて入射するため、裏面１２ｄで反射される光は、ＬＥＤランプ１１寄りの部分の光量が増加する。この場合は、感光体ドラム１の軸方向において、ＬＥＤランプ１１寄りの部分が強く照射され、ＬＥＤランプ１１から遠い部分は十分な光が照射されず、感光体ドラム１全域に亘って均一に光を照射することができない。この結果として画像むらが生じることとなる。
【００４９】
ここで、図７（Ａ）の矢印Ｑに示すように、ＬＥＤランプ１１の向きを下向きに動かし、図７（Ｂ）に示すように、光入射面１２ａのほぼ中央部分を向くように設置する。このようにＬＥＤランプ１１の向きを適切に動かし、調整することで光が遠くまで届くため、裏面１２ｄ全体で反射され、感光体ドラム１全体に亘って均一に光を照射することができ、画像むらが生じにくくなる。
【００５０】
一方、図７（Ｃ）に示すように、ＬＥＤランプ１１が設置当初、光入射面１２ａに対し、やや下部向きである場合、光入射面１２ａより入射する光は、光入射面１２ａに斜め上から下に向けて入射し、光出射面１２ｂで導光体１２の裏面１２ｄ側に反射する。このため、ＬＥＤランプ１１の光が十分に光出射面１２ｂから出射されない。よって、十分な光が照射されず、感光体ドラム１全域に亘って均一に、また十分に光を照射することができない。この結果として画像むらが生じることとなる。
【００５１】
ここで、図７（Ａ）の矢印Ｑ´に示すように、ＬＥＤランプ１１の向きを上向きに動かし、図７（Ｂ）に示すように、光入射面１２ａのほぼ中央部分を向くように設置する。これにより、導光板の取り付けや部品ばらつき、ＬＥＤの発散光のばらつき等があっても、上記のようにＬＥＤランプ１１の向きを適切に動かし、調整することで適切な光量分布になるように調整を行うことが可能となり、感光体ドラム１全体に亘って均一にまた、十分に光を照射することができ、画像むら等のない良質な画像を得ることができる。
【００５２】
＜実施例３＞
次に、実施例３について説明する。図８は、本実施例に係るＬＥＤランプ１１の配置調整方法について説明する平面模式図である。
【００５３】
上記実施例１、２で説明した以外に、ＬＥＤランプ１１の調整方法として、ＬＥＤランプ１１を導光体１２の光入射面１２ａに対して矢印Ｒに示すように前後に動かして調整してもよい。この場合は、ＬＥＤランプ１１を光入射面１２ａに近づけるほど光の強度が強くなり、離すほど光の強度が弱くなるので、光の強度を調整することができる。
【００５４】
また、ＬＥＤランプ１１の調整方法として、ＬＥＤランプ１１を導光体１２の光入射面１２ａに対して矢印Ｓに示すように左右に動かして調整してもよい。あるいはＬＥＤランプ１１の向きを左右に動かして調整してもよい。この場合は、ＬＥＤランプ１１から出射する光の左右バランスを調整することができる。これにより、導光板１２の取り付けや部品ばらつき、ＬＥＤの発散光のばらつき等があっても、上記のようにＬＥＤランプ１１を適切に移動し、調整することで適切な光量分布になるように調整を行うことが可能となり、感光体ドラム１全体に亘って均一に光を照射することができ、画像むら等のない良質な画像を得ることができる。
【００５５】
なお、本実施例では、ＬＥＤランプを移動させる方法を例として説明したが、ＬＥＤランプ１１を固定し、導光板１２を移動させ、光分布を調整する方法でも構わない。
【００５６】
＜実施例４＞
次に、実施例４について説明する。図９は、本実施例に係る除電ユニット３００の概略図である。除電ユニット３００は、フレーム３０１、導光板１２及びＬＥＤランプ１１よりなる。導光体１２は、フレーム３０１の下部分に、光出射面１２ｂが露出するように配置される。ＬＥＤランプ１１は、導光体１２の光入射面１２ａに対して対向するようにフレーム３０１の側面部分に配置される。
【００５７】
ここで、ＬＥＤランプ１１をフレーム３０１に設置するときは、上記実施例１〜３に示した方法で、本体の位置若しくはランプの向きを調整した上で固定される。
【００５８】
フレーム３０１にＬＥＤランプ１１と導光体１２を設置された除電ユニット３００は、導光体１２の光出射面１２ｂが感光体ドラム１に対向するように画像形成装置１００の本体に装着される。ＬＥＤランプ１１の電源は、除電ユニット３００を本体へ取り付け後、ハーネス接続等にて行う。
【００５９】
なお、ＬＥＤランプ１１の位置調整に関し、位置調整機構１１ａを備えてもよい。位置調整機構１１ａとしては、フレーム３０１にＬＥＤランプ１１が移動可能なホルダーを設け、ホルダーをビスにより移動調整させることで、導光板との位置関係を調整したり、
治具等により位置角度調整を行った後、ＵＶ接着材等により接着固定を行うことがあげられる。あるいは、フレーム３０１とＬＥＤランプ１１間にＬＥＤランプ１１が回動可能な自在継手（ユニバーサルジョイント）を設ける方法でも構わない。
【００６０】
このように、除電ユニット３００を用いた場合は、上記それぞれの実施例の効果に加え、導光板１２の設けられたフレーム３０１にＬＥＤランプ１１をあらかじめその位置を調整した状態で画像形成装置１００の本体に装着されるので、本体を組み立てる時にＬＥＤランプ１１位置の調整が不要となり、組み立て効率が向上する。
【００６１】
なお、位置調整機構１１aは、除電ユニット３００に設けた例を説明したが、画像形成装置１００の本体側に備えていても構わない。また、ＬＥＤランプ１１はフレーム３０１に固定し、導光板１２を移動させ、光分布を調整する位置調整機構であっても構わない。
【００６２】
尚、ここでは、１つの画像形成部１０２によりモノクロ画像を形成する画像形成装置を例示しているが、カラー画像形成装置にも、上記光除電装置１０を適用することができる。カラー画像形成装置では、黒、マゼンタ、シアン、イエロー等の各色別に、それぞれの画像形成部をタンデムに配列し、各画像形成部によりそれぞれの色の画像を記録用紙に直接重ね合わせて形成するか、あるいは各色の画像を中間転写ベルトを介して記録用紙に重ね合わせて形成している。この様なカラー画像形成装置を小型化するには、各画像形成部を小型化する必要があるので、各画像形成部の光除電装置として、小型のものを適用するのが好ましい。上記した光除電装置１０は、感光体ドラム１に対向して配置される導光体１２と、その導光体１２の光入射面に光を照射するＬＥＤランプ１１とからなる簡単な構成なので、小型化を図ることができる。従って、各画像形成部も小型化を図ることができ、カラー画像形成装置の小型化の実現に効を奏する。
【００６３】
以上それぞれの実施例で説明したとおり、本発明によれば、電子写真方式の画像形成装置において、導光板の取り付けや部品ばらつき、ＬＥＤの発散光のばらつき等があっても、感光体に照射する照射光の光量分布をより均一にすることが可能な光除電装置を実現すること、及び、そのような特徴を有する光除電装置を備えた画像形成装置を実現することが可能となる。
【産業上の利用可能性】
【００６４】
本発明は、電子写真方式の画像形成プロセスにおいて光照射によって感光体の残留電荷を除去する光除電装置、及び、それを備えた複写機等の画像形成装置において、感光体の電荷を除去するために感光体に照射する照射光の光量分布を均一化するのに好適に利用できる。
【符号の説明】
【００６５】
１  感光体ドラム
２  帯電装置
３  現像装置
４  転写装置
５  クリーニング装置
１０  光除電装置
１１  ＬＥＤランプ
１１a  調整機構
１２  導光体
１２ａ  導光体の光入射面
１２ｂ  導光体の光出射面
１２ｄ  導光体の裏面
１２ｅ  導光体の後端面
２０  プロセスカートリッジ
２１  画像形成装置本体の前面フレーム
２２  画像形成装置本体の背面フレーム
２３  カートリッジ案内部材
１００  画像形成装置
１０１  画像読取部
１１０  光学系ユニット
１１１  第１のミラーベース
１１２  第２のミラーベース
１１３  ランプリフレクタアセンブリ
１１４  第１の反射ミラー
１１５  第２の反射ミラー
１１６  第３の反射ミラー
１１７  光学レンズ
１１８  ＣＣＤ
１０２  画像形成部
１２０  画像形成ユニット
１２１  露光ユニット
１０３  給紙部
１３１，１３２，１３３  用紙カセット
１３４  手差しトレイ
１３５  両面ユニット
１３６  スイッチバック搬送路
１３７  排紙ローラ
１０４  後処理装置
１４１  昇降トレイ
１０５  原稿載置台
１０６  両面自動原稿送り装置（ＲＡＤＦ）
１０７  定着装置
３００  除電ユニット
３０１  フレーム
【図１】
2015141376.tif 000003
【図２】
2015141376.tif 000004
【図３】
2015141376.tif 000005
【図４】
2015141376.tif 000006
【図５】
2015141376.tif 000007
【図６】
2015141376.tif 000008
【図７】
2015141376.tif 000009
【図８】
2015141376.tif 000010
【図９】
2015141376.tif 000011
【図１０】
2015141376.tif 000012
【図１１】
2015141376.tif 000013